【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
第１の色の光を放射するための第１の光エミッタ、及び第１の色と異なる第２の色の光を放射するための第２の光エミッタを有する光源であって、第１の色の光と第２の色の光との混合である制御可能な色の光を放射する前記光源により放射される光の色空間のカラーポイントを測定するためのカラーポイントセンサと、測定信号を受信するため前記カラーポイントセンサに結合されるセンサコントローラであって、ｉ）調光ファクタＤ１及び調光ファクタＤ２の少なくとも一つが０ではなく、それぞれ第１の光エミッタの最大光束に対する割合及び第２の光エミッタの最大光束に対する割合を示している調光ファクタＤ１及び調光ファクタＤ２を有する第１の信号を前記光源へ供給し、前記光源が第１の信号に従って光を放射するとき、第１のカラーポイントを表わす測定信号を受信し、ｉｉ）調光ファクタＤ４及び調光ファクタＤ５両方とも０ではなく、それぞれ第１の光エミッタの最大光束に対する割合及び第２の光エミッタの最大光束に対する割合を示している調光ファクタＤ４及び調光ファクタＤ５を有する第２の信号を前記光源へ供給し、前記光源が第２の信号に従って光を放射するとき、第２のカラーポイントを表わす測定信号を受信し、ｉｉｉ）第１のカラーポイント、第２のカラーポイント、調光ファクタＤ１、Ｄ２、Ｄ４及びＤ５に基づいて第１の光エミッタの最大光束と第２の光エミッタの最大光束との間の比率を色空間のモデル内で計算する前記センサコントローラとを有し、前記モデルは、波長のスペクトルの物理的パラメータと色空間の色の座標との間の関係を提供する数学的色空間モデルに基づく、相対的光束センサ。
【請求項２】
前記センサコントローラは、それぞれ第１の光エミッタの最大光束に対する割合及び第２の光エミッタの最大光束に対する割合を示す０％に実質的に等しい調光ファクタＤａ及び１００％に実質的に等しい調光ファクタＤｂを有する第３の信号を前記光源へ供給し、前記光源が第３の信号に従って光を放射するとき、第３のカラーポイントを表わす測定信号を受信し、調光ファクタＤ１は１００％に実質的に等しく、調光ファクタＤ２は０％に実質的に等しく、第１の光エミッタの最大光束と第２の光エミッタの最大光束との間の比率を計算することは、第３のカラーポイント、調光ファクタＤａ及びＤｂに更に基づく、請求項１に記載の相対的光束センサ。
【請求項３】
調光ファクタＤ４は１００％に実質的に等しく、調光ファクタＤ５は１００％に実質的に等しい、請求項２に記載の相対的光束センサ。
【請求項４】
第１のカラーポイント、第２のカラーポイント及び第３のカラーポイントは、ＣＩＥｘｙｚ色空間モデルの色空間内のそれぞれの座標（ｘ１、ｙ１）、（ｘ１２，ｙ１２）及び（ｘ２、ｙ２）により表され、第１の光エミッタの最大光束Ｙ１と第２の光エミッタのＹ２の最大光束との間の比率が、
2013536406.tif 000001
により計算される、請求項３に記載の相対的光束センサ。
【請求項５】
第１の光エミッタの最大光束と第２の光エミッタの最大光束との間の比率の計算が、第１の光エミッタのカラーポイントを計算することと、第２の光エミッタのカラーポイントを計算することとを有する、請求項１に記載の相対的光束センサ。
【請求項６】
前記光源は、更に、第１の色と異なり且つ第２の色と異なる第３の色を放射する第３の光エミッタを有し、第１の信号は、更に、第３の光エミッタの最大光束に対する割合を示す調光ファクタＤ３を有し、第２の信号は、更に、第３の光エミッタの最大光束に対する割合を示す調光ファクタＤ６を有し、前記センサコントローラは、それぞれ第１の光エミッタの最大光束に対する割合、第２の光エミッタの最大光束に対する割合及び第３の光エミッタの最大光束に対する割合を示している調光ファクタＤ７、調光ファクタＤ８及び調光ファクタＤ９を有する第４の信号を前記光源へ供給し、前記光源が第４の信号に従って光を放射するとき、第４のカラーポイントを表わす測定信号を受信し、第１の光エミッタの最大光束と第２の光エミッタの最大光束との間の比率を計算することは、調光ファクタＤ３、Ｄ６、Ｄ７、Ｄ８及びＤ９並びに第４のカラーポイントに更に基づく、請求項１に記載の相対的光束センサ。
【請求項７】
前記センサコントローラは、それぞれ第１の光エミッタの最大光束に対する割合、第２の光エミッタの最大光束に対する割合及び第３の光エミッタの最大光束に対する割合を示す０％に実質的に等しい調光ファクタＤｃ、１００％に実質的に等しい調光ファクタＤｄ及び０％に実質的に等しい調光ファクタＤｅを有する第５の信号を前記光源へ供給し、前記光源が第５の信号に従って光を放射するとき、第５のカラーポイントを表わす測定信号を受信し、調光ファクタＤ１、Ｄ９は１００％に実質的に等しく、調光ファクタＤ２、Ｄ３、Ｄ７、Ｄ８は０％に実質的に等しく、第１の光エミッタの最大光束と第２の光エミッタの最大光束との間の比率を計算することは、第５のカラーポイント、調光ファクタＤｃ、Ｄｄ及びＤｅに更に基づく、請求項６に記載の相対的光束センサ。
【請求項８】
調光ファクタＤ３、Ｄ４及びＤ５は、１００％に実質的に等しい、請求項６に記載の相対的光束センサ。
【請求項９】
前記センサコントローラは、更に、最小調光ファクタと最大調光ファクタとの間で複数の調光ファクタを定め、定められた複数の調光ファクタの各々に対して、第２の信号を前記光源へ供給することと、第２のカラーポイントを表わす測定信号を受信することと、第１の光エミッタの最大光束と第２の光エミッタの調光された光束との間の調光比率を計算することとを繰り返し実施し、ここで、調光ファクタＤ５は、定められた複数の調光ファクタを通じて繰り返し、定められた複数の調光ファクタ、第１の光エミッタの最大光束と第２の光エミッタの調光された光束との間の複数の計算された調光比率、及び第１の光エミッタの最大光束と第２の光エミッタの最大光束との間の計算された比率とに基づいて、第２の光エミッタの調光曲線のポイントを計算する、請求項３に記載の相対的光束センサ。
【請求項１０】
前記センサコントローラは、調光曲線の計算されたポイントに基づいて、第２の光エミッタの調光曲線を再構成する、請求項９に記載の相対的光束センサ。
【請求項１１】
請求項１、２又は３に記載の相対的光束センサと、i)第１のカラーポイント、第２のカラーポイント、及び第１の光エミッタの最大光束と第２の光エミッタの最大光束との間の比率を受信し、ii)色調整可能なランプにより放射される色を示すユーザー入力を受信し、iii)前記光源が第６の信号による光を放射するとき、前記ユーザー入力により示される放射される色を得るために、第１のカラーポイント、第２のカラーポイント、及び第１の光エミッタの最大光束と第２の光エミッタの最大光束との間の比率に基づいて、それぞれ第１の光エミッタの最大光束に対する割合及び第２の光エミッタの最大光束に対する割合を示す調光ファクタＤ１０及び調光ファクタＤ１１を有する第６の信号を生成し、iv)色調整可能なランプの光源へ第６の信号を供給する光源コントローラとを有する、色調整可能なランプのための制御装置。
【請求項１２】
第１の色の光を放射するための第１の光エミッタと、第１の色と異なる第２の色の光を放射するための第２の光エミッタとを有し、それぞれの光エミッタの最大光束に対する割合を示す調光ファクタを有する受信信号に従って、光を放射する光源と、請求項１１に記載の色調整可能なランプのための制御装置とを有する、色調整可能なランプ。
【請求項１３】
請求項１２に記載の色調整可能なランプを有する、照明器具。
【請求項１４】
第１の色の光を放射するための第１の光エミッタ及び第１の色と異なる第２の色の光を放射するための第２の光エミッタを有し、第１の色の光と第２の色の光との混合である制御可能な色の光を放射する光源の相対的光束を特徴づける方法であって、調光ファクタＤ１及び調光ファクタＤ２の少なくとも一つが０ではなく、それぞれ第１の光エミッタの最大光束に対する割合及び第２の光エミッタの最大光束に対する割合を示している調光ファクタＤ１及び調光ファクタＤ２を有する第１の信号を前記光源へ供給し、前記光源が第１の信号に従って光を放射するとき、色空間の第１のカラーポイントを表わす測定信号を受信するステップと、調光ファクタＤ４及び調光ファクタＤ５両方とも０ではなく、それぞれ第１の光エミッタの最大光束に対する割合及び第２の光エミッタの最大光束に対する割合を示している調光ファクタＤ４及び調光ファクタＤ５を有する第２の信号を前記光源へ供給し、前記光源が第２の信号に従って光を放射するとき、色空間の第２のカラーポイントを表わす測定信号を受信するステップと、第１のカラーポイント、第２のカラーポイント、調光ファクタＤ１、Ｄ２、Ｄ４及びＤ５に基づいて第１の光エミッタの最大光束と第２の光エミッタの最大光束との間の比率を色空間のモデル内で計算するステップとを有し、前記モデルは、波長のスペクトルの物理的パラメータと色空間の色の座標との間の関係を提供する数学的色空間モデルに基づく、方法。
【請求項１５】
プロセッサシステムに請求項１４に記載の方法を実施させるための命令を有する、コンピュータプログラム。